(57)【特許請求の範囲】
【請求項１】
意匠に関する図面情報と、当該意匠を一意に特定する意匠特定情報を含む属性情報とを対応付けて有する意匠情報を記憶する意匠情報データベースと、
ユーザーの指示に基づいて、前記意匠情報を検索するための検索条件を設定する検索条件設定部と、
前記意匠情報データベースに記憶されている意匠情報のうち、前記検索条件設定部により設定された前記検索条件に適合する意匠情報を検索する意匠情報検索部と、
前記意匠情報検索部により検索された意匠情報の意匠特定情報を記憶する検索結果記憶部と、
前記検索結果記憶部に記憶されている意匠特定情報のうち、前記ユーザーに選択された意匠特定情報を記憶するユーザー記憶部と、
前記ユーザーの指示に基づいて、複数の前記ユーザー記憶部に対応する複数の表示領域のそれぞれに、当該ユーザー記憶部に記憶されている複数の意匠特定情報のそれぞれに対応付けられている複数の図面情報を、前記ユーザーが所望する表示態様で同時に表示する図面情報表示部と、
を備える意匠情報管理装置。
【請求項２】
第１の表示領域に表示されている第１の図面情報を第２の表示領域に移動させる前記ユーザーの指示が発生した場合、前記第１の図面情報に対応する第１の意匠特定情報の記憶場所を前記第１のユーザー記憶部から前記第２のユーザー記憶部に変更する記憶制御部を備える、
請求項１に記載の意匠情報管理装置。
【請求項３】
前記記憶制御部は、前記第１の図面情報が本意匠の第１の意匠特定情報に対応する場合、前記第１の意匠特定情報、および、前記第１の意匠特定情報と同じ前記第１のユーザー記憶部に記憶され前記本意匠に関連する関連意匠の第２の意匠特定情報の記憶場所を前記第２の意匠特定情報記憶部に変更する、
請求項２に記載の意匠情報管理装置。
【請求項４】
第１の表示領域に表示されている第１の図面情報を第２の表示領域に移動させる前記ユーザーの指示が発生した場合、前記第１の図面情報に対応する第１の意匠特定情報の記憶場所を前記第１のユーザー記憶部から前記第１および第２のユーザー記憶部に変更する記憶制御部を備える、
請求項１に記載の意匠情報管理装置。
【請求項５】
前記意匠情報検索部は、前記意匠情報データベースに新規に追加された意匠情報のうち、前記検索条件設定部により設定された前記検索条件に適合する意匠情報を定期的に検索し、
前記検索結果記憶部は、前記意匠情報検索部により定期的に検索された意匠情報の意匠特定情報を記憶する、
請求項１〜４の何れか１項に記載の意匠情報管理装置。
【請求項６】
前記ユーザーの指示に基づいて、単一の前記属性情報記憶部に対して複数の前記表示態様を設定する表示態様設定部を備える、
請求項１〜５の何れか１項に記載の意匠情報管理装置。
【請求項７】
意匠に関する図面情報と、当該意匠を一意に特定する意匠特定情報を含む属性情報とを対応付けて有する意匠情報を意匠情報データベースに記憶し、
ユーザーの指示に基づいて、前記意匠情報を検索するための検索条件を設定し、
前記意匠情報データベースに記憶されている意匠情報のうち、設定された前記検索条件に適合する意匠情報を検索し、
検索された意匠情報の意匠特定情報を検索結果記憶部に記憶し、
前記検索結果記憶部に記憶されている意匠特定情報のうち、前記ユーザーに選択された意匠特定情報をユーザー記憶部に記憶し、
前記ユーザーの指示に基づいて、複数の前記ユーザー記憶部に対応する複数の表示領域のそれぞれに、当該ユーザー記憶部に記憶されている複数の意匠特定情報のそれぞれに対応付けられている複数の図面情報を、前記ユーザーが所望する表示態様で同時に表示する、
図面情報表示方法。
【発明の詳細な説明】
【技術分野】
【０００１】
本発明は、意匠情報管理装置および図面情報表示方法に関する。
【背景技術】
【０００２】
従来、産業財産権の一つである意匠権に関し、データベースに記憶されている意匠登録出願又は意匠権に関する意匠情報を検索して表示可能な検索サービスが提供されている。
【０００３】
また、一度検索を行って得られた検索結果を保存して複数のユーザーで共有することで、重複検索の手間の削減に加えて、過去の検索結果を再活用することを可能にする検索結果共有サービスも提供されている。
【０００４】
特許文献１には、意匠情報の検索に関する技術ではないが、撮影された複数の写真画像のうち、所定の選択基準に沿って選択された写真画像を用いてアルバムを作成する技術が開示されている。具体的には、特許文献１には、複数の写真画像から適切な画像をドラッグアンドドロップ操作して、いくつかのアルバムサンプルを作り、データベース化する方法が開示されている。
【先行技術文献】
【特許文献】
【０００５】
【特許文献１】特表２００４−５１４９７６号公報
【発明の概要】
【発明が解決しようとする課題】
【０００６】
ところで、上記意匠情報の検索結果を複数のユーザーで共有する際、当該検索結果を構成する複数の意匠情報のうち再活用する可能性のある意匠情報はユーザー毎に異なる場合がある。この場合、各ユーザーは、ユーザー自身の観点で、検索結果を構成する全ての意匠情報ではなく、再活用する可能性のある意匠情報に絞って管理したいという要望があった。この要望が実現できれば、意匠情報の検索結果をユーザー毎に効率良く再利用することが可能である。
【０００７】
なお、特許文献１においては、撮影された複数の写真画像の中から、複数のユーザーのそれぞれの観点で写真画像を選択することについてすら記載も示唆もされていない。そのため、特許文献１に記載の技術を用いて、上記要望を実現することはできない。
【０００８】
本発明の目的は、意匠情報の検索結果をユーザー毎に効率良く再利用することが可能な意匠情報管理装置および図面情報表示方法を提供することである。
【課題を解決するための手段】
【０００９】
本発明に係る意匠情報管理装置は、
意匠に関する図面情報と、当該意匠を一意に特定する意匠特定情報を含む属性情報とを対応付けて有する意匠情報を記憶する意匠情報データベースと、
ユーザーの指示に基づいて、前記意匠情報を検索するための検索条件を設定する検索条件設定部と、
前記意匠情報データベースに記憶されている意匠情報のうち、前記検索条件設定部により設定された前記検索条件に適合する意匠情報を検索する意匠情報検索部と、
前記意匠情報検索部により検索された意匠情報の意匠特定情報を記憶する検索結果記憶部と、
前記検索結果記憶部に記憶されている意匠特定情報のうち、前記ユーザーに選択された意匠特定情報を記憶するユーザー記憶部と、
前記ユーザーの指示に基づいて、複数の前記ユーザー記憶部に対応する複数の表示領域のそれぞれに、当該ユーザー記憶部に記憶されている複数の意匠特定情報のそれぞれに対応付けられている複数の図面情報を、前記ユーザーが所望する表示態様で同時に表示する図面情報表示部と、
を備える。
【００１０】
本発明に係る図面情報表示方法は、
意匠に関する図面情報と、当該意匠を一意に特定する意匠特定情報を含む属性情報とを対応付けて有する意匠情報を意匠情報データベースに記憶し、
ユーザーの指示に基づいて、前記意匠情報を検索するための検索条件を設定し、
前記意匠情報データベースに記憶されている意匠情報のうち、設定された前記検索条件に適合する意匠情報を検索し、
検索された意匠情報の意匠特定情報を検索結果記憶部に記憶し、
前記検索結果記憶部に記憶されている意匠特定情報のうち、前記ユーザーに選択された意匠特定情報をユーザー記憶部に記憶し、
前記ユーザーの指示に基づいて、複数の前記ユーザー記憶部に対応する複数の表示領域のそれぞれに、当該ユーザー記憶部に記憶されている複数の意匠特定情報のそれぞれに対応付けられている複数の図面情報を、前記ユーザーが所望する表示態様で同時に表示する。
【発明の効果】
【００１１】
本発明によれば、意匠情報の検索結果をユーザー毎に効率良く再利用することができる。
【図面の簡単な説明】
【００１２】
【図１】本発明の実施の形態に係る意匠情報管理装置の構成を示すブロック図である。
【図２】本発明の実施の形態に係るカテゴリの作成例を示す図である。
【図３】本発明の実施の形態に係る表示部に表示された検索結果を示す図である。
【図４】本発明の実施の形態に係る表示部に表示された意匠情報を示す図である。
【図５】本発明の実施の形態に係る表示部にカテゴリ毎に表示された図面情報を示す図である。
【図６】本発明の実施の形態に係る表示態様設定画面を示す図である。
【発明を実施するための形態】
【００１３】
以下、図面を適宜参照して、本発明の一実施の形態につき、詳細に説明する。
【００１４】
＜意匠情報管理装置の構成＞
本発明の実施の形態に係る意匠情報管理装置１００の構成につき、図１を参照しながら、以下に詳細に説明する。
【００１５】
意匠情報管理装置１００は、入力部１０１と、検索条件設定部１０２と、意匠情報検索部１０３と、意匠情報記憶部１０４（本発明の「意匠情報データベース」として機能）と、記憶領域生成部１０５と、記憶部１０６と、記憶制御部１０７と、意匠情報表示制御部１０８と、表示部１０９（本発明の「図面情報表示部」として機能）と、図面情報表示制御部１１０と、表示態様設定部１１１と、を有している。
【００１６】
入力部１０１は、ユーザーにより操作され、ユーザーの操作に応じた信号を検索条件設定部１０２、記憶領域生成部１０５、記憶制御部１０７、意匠情報表示制御部１０８、図面情報表示制御部１１０または表示態様設定部１１１に出力する。
【００１７】
検索条件設定部１０２は、入力部１０１から入力した信号の示す第１検索条件、または入力部１０１から予め入力した信号の示す第２検索条件を設定し、設定した第１または第２検索条件を示す信号を意匠情報検索部１０３に出力する。第１検索条件は、意匠情報記憶部１０４に記憶されている意匠情報を検索対象とし、意匠情報を検索するための検索条件である。第２検索条件は、意匠情報記憶部１０４に新規に追加された意匠情報を検索対象とし、意匠情報検索部１０３により定期的に検索された意匠情報を配信してもらうサービスの提供を受けるために予め設定したＳＤＩ検索条件である。第１または第２検索条件（以下、まとめて単に「検索条件」ともいう）は、例えば、意匠に係る物品、意匠分類、出願番号、登録番号または意匠権者等である。
【００１８】
意匠情報検索部１０３は、意匠情報記憶部１０４に記憶されている意匠情報のうち、検索条件設定部１０２から入力した信号の示す検索条件（第１または第２検索条件）に適合する意匠情報を検索し、その検索結果を記憶制御部１０７および表示部１０９に出力する。
【００１９】
意匠情報記憶部１０４は、意匠に関する意匠図面情報と、当該意匠を一意に特定する意匠特定情報を含む属性情報とを対応付けて有する意匠情報を記憶している。属性情報は、例えば出願番号、登録番号、意匠出願人または意匠権者等の書誌情報である。意匠特定情報は、例えば出願番号、登録番号等である。意匠情報は、例えば意匠公開公報または意匠登録公報である。
【００２０】
記憶領域生成部１０５は、入力部１０１から入力した信号に基づいて、意匠情報検索部１０３により検索された意匠情報の意匠特定情報のうち、ユーザーに選択された意匠特定情報を記憶するための記憶領域（本発明の「ユーザー記憶部」に対応）を記憶部１０６に生成する。本実施の形態では、記憶領域は、カテゴリ（カスタムＤＢ）として生成される。
【００２１】
記憶部１０６には、記憶領域生成部１０５により複数の記憶領域が生成される。記憶領域には、意匠特定情報が記憶される。
【００２２】
記憶制御部１０７は、第１検索条件に基づいて意匠情報検索部１０３により検索された意匠情報の意匠特定情報を記憶部１０６（本発明の「検索結果記憶部」に対応）に記憶させる。また、記憶制御部１０７は、記憶部１０６に記憶させた意匠特定情報のうち、入力部１０１から入力した信号により選択された（すなわちユーザーに選択された）意匠特定情報を記憶領域生成部１０５により生成された記憶部１０６の記憶領域に記憶させる。なお、記憶制御部１０７は、フラグ情報やコメント情報を含む付加情報を記憶領域に記憶させても良い。フラグ情報は、属性情報を含む意匠情報がノイズであるか否かを示す情報である。コメント情報は、属性情報に対してユーザーがコメントを残して他のユーザーと共有可能な情報である。
【００２３】
また、記憶制御部１０７は、記憶部１０６の記憶領域に記憶させる意匠特定情報が、本意匠の意匠特定情報である第１の意匠特定情報、および、本意匠に関連する関連意匠の意匠特定情報である第２の意匠特定情報である場合、入力部１０１から入力した信号に基づいて第１および第２の意匠特定情報を互いに関連付けて記憶領域に記憶させる。
【００２４】
また、記憶制御部１０７は、入力部１０１から入力した信号に基づいて、第１の記憶領域（本発明の「第１のユーザー記憶部」に対応）に記憶されている意匠特定情報を第２の記憶領域（本発明の「第２のユーザー記憶部」に対応）に移動させる。具体的には、記憶制御部１０７は、表示部１０９により第１および第２の記憶領域に対応する第１および第２の表示領域のそれぞれに、当該第１および第２の記憶領域に記憶されている複数の意匠特定情報のそれぞれに対応付けられている複数の図面情報が表示されている場合、第１の表示領域に表示されている第１の図面情報を第２の表示領域に移動させるユーザーの指示が発生した場合、第１の図面情報に対応する第１の意匠特定情報の記憶場所を第１のユーザー記憶部から第２のユーザー記憶部に変更する。
【００２５】
また、記憶制御部１０７は、第１の図面情報が本意匠の第１の意匠特定情報に対応する場合、第１の意匠特定情報、および、第１の意匠特定情報と同じ第１のユーザー記憶部に記憶され本意匠に関連する関連意匠の第２の意匠特定情報の記憶場所を第２の意匠特定情報記憶部に変更する。
【００２６】
また、記憶制御部１０７は、入力部１０１から入力した信号に基づいて、第１の記憶領域に記憶されている意匠特定情報を第２の記憶領域に複写させる。具体的には、記憶制御部１０７は、表示部１０９により第１および第２の記憶領域に対応する第１および第２の表示領域のそれぞれに、当該第１および第２の記憶領域に記憶されている複数の意匠特定情報のそれぞれに対応付けられている複数の図面情報が表示されている場合、第１の表示領域に表示されている第１の図面情報を第２の表示領域に移動させるユーザーの指示が発生した場合、第１の図面情報に対応する第１の意匠特定情報の記憶場所を第１のユーザー記憶部から第１および第２のユーザー記憶部に変更する。
【００２７】
また、記憶制御部１０７は、第２検索条件（ＳＤＩ検索条件）に基づいて意匠情報検索部１０３により定期的に検索された意匠情報の意匠特定情報を記憶部１０６に記憶させる。また、記憶制御部１０７は、記憶部１０６に記憶させた意匠特定情報のうち、入力部１０１から入力した信号により選択された意匠特定情報を記憶部１０６の記憶領域に記憶させる。
【００２８】
意匠情報表示制御部１０８は、記憶部１０６の記憶領域に記憶されている意匠特定情報のうち、入力部１０１から入力した信号により選択された意匠特定情報を含む意匠情報を表示部１０９に表示させる表示制御処理を行う。
【００２９】
表示部１０９は、意匠情報表示制御部１０８における表示制御処理により意匠情報を表示する。
【００３０】
また、表示部１０９は、図面情報表示制御部１１０における表示制御処理により図面情報を表示する。
【００３１】
また、表示部１０９は、意匠情報検索部１０３から入力する検索結果を表示する。
【００３２】
図面情報表示制御部１１０は、入力部１０１から入力した信号に基づいて、複数の記憶領域に対応する複数の表示領域のそれぞれに、当該記憶領域に記憶されている複数の意匠特定情報のそれぞれに対応付けられている複数の図面情報を、ユーザーが所望する表示態様で同時に表示させる表示制御処理を行う。
【００３３】
また、図面情報表示制御部１１０は、表示態様設定部１１１により設定された表示態様に関する情報を、表示部１０９に表示させる表示制御処理を行う。
【００３４】
表示態様設定部１１１は、入力部１０１から入力した信号に基づいて、図面情報表示制御部１１０における表示制御処理により表示部１０９に表示される図面情報（ある記憶領域に記憶されている意匠特定情報に対応付けられている図面情報）の表示態様を設定する。本実施の形態では、単一の記憶領域に対して複数の表示態様を設定することが可能である。
【００３５】
また、表示態様設定部１１１は、設定した表示態様に関する情報を図面情報表示制御部１１０に出力し、当該表示態様で図面情報を表示部１０９に表示するように図面情報表示制御部１１０を制御する。また、表示態様設定部１１１は、設定した表示態様を記憶し、表示部１０９に表示されている表示態様に関する情報に対して、過去に設定した表示態様を選択する信号が入力部１０１から入力した際に、選択された表示態様で図面情報を表示するように図面情報表示制御部１１０を制御する。
【００３６】
＜図面情報表示方法＞
本実施の形態に係る図面情報管理方法につき、図２および図３を参照しながら、以下に詳細に説明する。
【００３７】
記憶領域であるカテゴリを生成する場合、記憶領域生成部１０５は、記憶領域としてのカテゴリを記憶部１０６に生成する。記憶領域生成部１０５は、ユーザーによる入力部１０１の操作により、階層構造を有するカテゴリを生成する。例えば記憶領域生成部１０５は、図２に示すように、「冷蔵庫」のカテゴリを生成し、カテゴリ「冷蔵庫」の下位の階層に、冷蔵庫のドア構造の違いに応じて「冷蔵庫２ドア」、「冷蔵庫３ドア」および「冷蔵庫４ドア」のカテゴリを生成し、「冷蔵庫２ドア」の下位の階層に、２ドアの構造に違いに応じて「取っ手右」、「取っ手左」および「観音開き」のカテゴリを生成する。
【００３８】
カテゴリに属性情報を記憶させる場合、検索条件設定部１０２は、ユーザーによる入力部１０１の操作に応じて入力部１０１から入力した信号により検索条件を設定する。意匠情報検索部１０３は、検索条件設定部１０２で設定した検索条件を用いて、意匠情報記憶部１０４に記憶されている意匠情報を検索する。
【００３９】
表示部１０９には、例えば図３に示す意匠情報検索部１０３による検索結果が表示される。表示部１０９に表示された検索結果には、チェックボックス１が表示されている。ユーザーは、入力部１０１を操作してカテゴリに追加したい意匠特定情報を含む意匠情報のチェックボックス１にチェックを記入し、入力部１０１を操作して表示部１０９に表示されている表示ボタン２を選択することにより、図３に示すように、表示部１０９にカテゴリを表示させる。
【００４０】
ユーザーは、入力部１０１を操作し、表示されたカテゴリのうち、チェックした意匠情報に含まれる意匠特定情報を追加したいカテゴリを選択する。その後、ユーザーは、入力部１０１を操作し、図３に示す表示部１０９に表示された追加ボタン３を選択する。
【００４１】
記憶制御部１０７は、入力部１０１に対するユーザーの上記の操作に応じて入力部１０１から入力した信号に基づいて、意匠情報検索部１０３から入力した検索結果より、チェックボックス１にチェックされた意匠情報の意匠特定情報を抽出し、抽出した意匠特定情報を記憶部１０６のユーザーにより選択されたカテゴリに記憶させる。この際、記憶制御部１０７は、カテゴリに記憶させる意匠特定情報が、本意匠の意匠特定情報である第１の意匠特定情報、および、本意匠に関連する関連意匠の意匠特定情報である第２の意匠特定情報である場合、入力部１０１から入力した信号に基づいて第１および第２の意匠特定情報を互いに関連付けて記憶領域に記憶させる。
【００４２】
カテゴリに記憶されている意匠特定情報を含む意匠情報を表示部１０９に表示させる場合、意匠情報表示制御部１０８は、記憶部１０６の記憶領域に記憶されている意匠特定情報のうち、ユーザーによる入力部１０１の操作に応じて入力部１０１から入力した信号により選択された意匠特定情報を含む意匠情報を、表示部１０９に表示させる表示制御処理を行う。これにより、表示部１０９には、図４に示す意匠特定情報を含む意匠情報が表示される。
【００４３】
カテゴリに記憶されている意匠特定情報を異なるカテゴリに移動する場合、記憶制御部１０７は、ユーザーによる図５に矢印で示す入力部１０１を用いたドラックアンドドロップ操作（より具体的には、意匠特定情報に対応付けられている図面情報のドラッグアンドドロップ操作）に応じて入力部１０１から入力した信号に基づいて、カテゴリ１に記憶されている意匠特定情報を異なるカテゴリ４（カテゴリ１の右隣に表示）またはカテゴリ５（カテゴリ４の右隣に表示）に移動させる。図５に示すように、表示部１０９は、カテゴリ１、カテゴリ４およびカテゴリ５の表示領域のそれぞれに、カテゴリ１、カテゴリ４およびカテゴリ５のそれぞれに記憶されている複数の意匠特定情報のそれぞれに対応付けられている複数の図面情報を表示している。
【００４４】
この際、記憶制御部１０７は、カテゴリ１に記憶されている本意匠の意匠特定情報および関連意匠の意匠特定情報の一方を別のカテゴリ４またはカテゴリ５に移動させるとき、カテゴリ１に記憶されている本意匠の意匠特定情報および関連意匠の意匠特定情報の他方を、一方と共に一方の移動先であるカテゴリ４またはカテゴリ５に移動させる。これにより、本意匠（関連意匠）の意匠特定情報を別のカテゴリに移動させる際、ユーザーは、関連意匠（本意匠）の意匠特定情報を別のカテゴリに移動させる操作を行う手間をなくすことができる。
【００４５】
図面情報表示制御部１１０による図面情報の表示態様（例えば、表示並び順、表示サイズなど）を設定する。例えば、図面情報表示制御部１１０は、図６に示すように、表示態様設定部１１１で設定した表示態様に関する情報を表示部１０９に表示する。このように、ユーザーは、自分好みの表示態様を設定することができ、カテゴリ内の意匠特定情報に対応付けられている図面情報を閲覧（スクリーニング）する際の速度を向上させることができる。
【００４６】
また、表示態様設定部１１１は、表示部１０９に表示されている表示態様に関する情報に対して、過去に設定した表示態様を選択する信号が入力部１０１から入力した際に、選択された表示態様で図面情報を表示するように図面情報表示制御部１１０を制御する。例えば、図面情報表示制御部１１０は、第１のユーザーの指示に基づいて図面情報を表示させる際、第２のユーザーの指示に基づいて表示態様設定部１１１により設定された表示態様で表示させる。
【００４７】
以上詳しく説明したように、本実施の形態では、意匠情報管理装置１００は、意匠に関する図面情報と、当該意匠を一意に特定する意匠特定情報を含む属性情報とを対応付けて有する意匠情報を記憶する意匠情報記憶部１０４と、ユーザーの指示に基づいて、意匠情報を検索するための検索条件を設定する検索条件設定部１０２と、意匠情報記憶部１０４に記憶されている意匠情報のうち、検索条件設定部１０２により設定された検索条件に適合する意匠情報を検索する意匠情報検索部１０３と、意匠情報検索部１０３により検索された意匠情報の意匠特定情報を記憶する記憶部１０６（検索結果記憶部）と、記憶部１０６に記憶されている意匠特定情報のうち、ユーザーに選択された意匠特定情報を記憶する記憶領域（ユーザー記憶部）と、ユーザーの指示に基づいて、複数の記憶領域に対応する複数の表示領域のそれぞれに、当該記憶領域に記憶されている複数の意匠特定情報のそれぞれに対応付けられている複数の図面情報を、ユーザーが所望する表示態様で同時に表示する表示部１０９とを備える。
【００４８】
このように構成した本実施の形態によれば、意匠情報の検索結果を複数のユーザーで共有する際、当該検索結果を構成する複数の意匠情報のうち再活用する可能性のある意匠情報がユーザー毎に異なる場合であっても、各ユーザーは、ユーザー自身の観点で、検索結果を構成する全ての意匠情報ではなく、再活用する可能性のある意匠情報（カテゴリに記憶されている意匠特定情報を含む意匠情報）に絞って管理することができる。また、カテゴリに記憶されている複数の意匠特定情報のそれぞれに対応付けられている複数の図面情報を、ユーザーが所望する表示態様で同時に表示することによって、ユーザーは、自分好みの表示態様で、カテゴリ内の意匠特定情報に対応付けられている図面情報を閲覧（スクリーニング）することができ、閲覧速度を向上させることができる。以上より、意匠情報の検索結果をユーザー毎に効率良く再利用することができる。
【００４９】
最後に、本実施の形態の具体的な適用例について説明する。通常、冷蔵庫に関して意匠調査を行いたい場合、意匠に係る物品名や意匠分類で冷蔵庫を検索できるものの、２ドアの冷蔵庫、３ドアの冷蔵庫と言った物品の具体的な機能で限定した検索を行うことはできない。それに対して、本実施の形態では、図２に示して説明したように、ユーザー自身の観点で、すなわち冷蔵庫に関する検索結果（意匠情報）の意匠特定情報を２ドアの冷蔵庫、３ドアの冷蔵庫にそれぞれ対応するカテゴリにあらかじめ仕分けて記憶させておくことによって、次回、物品の具体的な機能（例えば、３ドアの冷蔵庫）で限定した意匠調査を行いたい場合、重複検索の手間の削減に加えて、過去の検索結果を効率的に再活用することができる。
【００５０】
なお、上記実施の形態において、単一のカテゴリに対してユーザー毎に異なる利用権限を設定しても良い。ここで、利用権限とは、例えば、カテゴリに対する全ての操作（図面情報の閲覧、表示順の変更および削除など）が可能な権限や、カテゴリ内の図面情報の閲覧のみが可能な権限等である。ユーザーは、表示部１０９に表示された利用権限設定画面（図示せず）に対する操作を行って、単一のカテゴリに対してユーザー毎に異なる利用権限を設定することができる。
【００５１】
また、上記実施の形態において、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００５２】
本発明は、意匠情報の検索結果をユーザー毎に効率良く再利用することが可能な意匠情報管理装置および図面情報表示方法に好適である。
【符号の説明】
【００５３】
１００  意匠情報管理装置
１０１  入力部
１０２  検索条件設定部
１０３  意匠情報検索部
１０４  意匠情報記憶部
１０５  記憶領域生成部
１０６  記憶部
１０７  記憶制御部
１０８  意匠情報表示制御部
１０９  表示部
１１０  図面情報表示制御部
１１１  表示態様設定部
【要約】      （修正有）【課題】意匠情報の検索結果をユーザー毎に効率良く再利用することが可能な意匠情報管理装置および図面情報表示方法を提供する。【解決手段】意匠情報管理装置１００は、意匠に関する図面情報と、当該意匠の属性情報とを対応付けて有する意匠情報を記憶する意匠情報記憶部１０４と、ユーザーの指示に基づいて、意匠情報を検索するための検索条件を設定する検索条件設定部１０２と、意匠情報記憶部１０４に記憶されている意匠情報のうち、検索条件設定部１０２により設定された検索条件に適合する意匠情報を検索する意匠情報検索部１０３と、検索された意匠情報のうち、ユーザーに選択された意匠情報に含まれる属性情報を記憶する属性情報記憶部と、ユーザーの指示に基づいて、属性情報記憶部に記憶されている複数の属性情報のそれぞれに対応付けられている複数の図面情報を、ユーザーが所望する表示態様で表示する表示部１０９と、を備える。【選択図】図１【図１】
0006010677.tif 000002
【図２】
0006010677.tif 000003
【図３】
0006010677.tif 000004
【図４】
0006010677.tif 000005
【図５】
0006010677.tif 000006
【図６】
0006010677.tif 000007